(57)【要約】【課題】  ＲＦ入力端子のグランド信号とＴＶチューナのグランド信号のインピーダンスの差を少なくし、ＴＶ映像信号に混入するノイズを低減させる受信装置の提供。【解決手段】  ＲＦ入力端子２のフレームグランドに相当するフレーム２１と、ＴＶチューナユニット１のフレームグランドに相当するフレーム１１とを金属プレート４等の導電体に接続する。これにより、ＲＦ入力端子２とＴＶチューナユニット１のフレームグランドおよびシグナルグランドが共通化されるため、従来よりもＲＦ入力端子２とＴＶチューナユニット１間のグランド信号のインピーダンス差を少なくすることが可能となる。【選択図】      図６
2008136008.tif 000002
【特許請求の範囲】
【請求項１】
第１の導電体フレーム内に設けられる高周波信号入力端子と、第２の導電体フレーム内に設けられる同調部と、前記高周波信号入力端子と前記同調部とが載置される基板とを含む受信装置であって、
前記高周波信号入力端子のシグナルグランドと前記同調部の入力端子のシグナルグランドとを前記基板と電気的に接続する第１の接続手段と、
前記高周波信号入力端子の導電体フレームと前記同調部の導電体フレームとを電気的に接続する第２の接続手段とを含むことを特徴とする受信装置。
【請求項２】
前記同調部は複数個設けられ、前記同調部の導電体フレーム同士を電気的に接続する第３の接続手段を含むことを特徴とする請求項１記載の受信装置。
【請求項３】
前記第２および第３の接続手段は金属プレートであることを特徴とする請求項２記載の受信装置。
【請求項４】
前記高周波信号入力端子は映像信号受信用の接続端子であり、前記同調部はテレビジョンチューナユニットであることを特徴とする請求項１から３いずれかに記載の受信装置。
【請求項５】
第１の導電体フレーム内に設けられる高周波信号入力端子と、第２の導電体フレーム内に設けられる同調部と、前記高周波信号入力端子と前記同調部とが載置される基板とを含む受信装置の受信ノイズ低減方法であって、
前記第１の導電体フレームと前記第２の導電体フレームとを導電性の板体に密着させる第１ステップと、
前記導電性の板体の各端部を前記第１および第２の導電体フレームとはんだで固定する第２ステップとを含むことを特徴とする受信ノイズ低減方法。
【請求項６】
前記同調部は複数個設けられ、前記同調部の導電体フレーム同士を電気的に接続する第３ステップを含むことを特徴とする請求項５記載の受信ノイズ低減方法。
【請求項７】
前記第２および第３の接続手段は金属プレートであることを特徴とする請求項６記載の受信ノイズ低減方法。
【請求項８】
前記高周波信号入力端子は映像信号受信用の接続端子であり、前記同調部はテレビジョンチューナユニットであることを特徴とする請求項５から７いずれかに記載の受信ノイズ低減方法。
【発明の詳細な説明】
【技術分野】
【０００１】
本発明は、受信装置およびその受信ノイズ低減方法に関し、特にテレビジョン（以下、ＴＶと表示する）チューナユニットの映像ノイズ低減方法に関する。
【背景技術】
【０００２】
図９は従来の受信装置の一例の外観斜視図である。本発明では受信装置の一例として高周波信号（以下、ＲＦと表示する）入力端子が別部品となっているＴＶチューナユニット（同調部）の一例について説明する。
【０００３】
同図を参照すると、従来の受信装置１００はＴＶチューナユニット１と、ＲＦ入力端子２と、基板３とを含んで構成される。基板３上にＴＶチューナユニット１とＲＦ入力端子２とが近接して載置されている。
【０００４】
図１０は従来の受信装置の一例の要部回路図である。なお、図９と同様の構成部分には同一番号を付し、その説明を省略する。
【０００５】
同図を参照すると、従来の受信装置１００において、ＴＶチューナユニット１は、金属等の導電体で形成されたフレーム１１と、フレーム１１内部に設けられた入力端子１２とを含んでいる。
【０００６】
入力端子１２は正極端子（＋）１２a と負極端子（−）１２b とから構成され、負極端子（−）１２b は接地されている。また、入力端子１２は図示しない内部の受信回路と接続されている。
【０００７】
一方、ＲＦ入力端子２は、金属等の導電体で形成されたフレーム２１と、フレーム２１内部に設けられた入力端子２２とを含んでいる。
【０００８】
入力端子２２は正極端子（＋）２２a と負極端子（−）２２b とから構成され、負極端子（−）２２b は接地されている。また、入力端子１２と入力端子２２とは信号線１３および１４で接続されている。
【０００９】
一方、入力端子２２にはＲＦケーブル３１が接続され、ＲＦケーブル３１、入力端子２２、信号線１３、１４および入力端子１２を介してＴＶ映像信号がＴＶチューナユニット１へ入力される。
【００１０】
しかし、この状態ではＲＦ入力端子２のシグナルグランド（signal ground ）である負極端子２２b と、ＴＶチューナユニット１のシグナルグランドである負極端子１２b とが非接続であるため、両シグナルグランド間に一定の電位差が生じ、これがＲＦケーブル３１から入力されたＴＶ映像信号にノイズを混入させる一因となる。
【００１１】
図１１は受信装置１００の各シグナルグランドの電位の一例を示す図である。同図を参照すると、ＴＶチューナユニット１の入力端子１２のシグナルグランド（負極端子１２b ）の電位をＶｇ１、ＲＦ入力端子２のシグナルグランド（負極端子２２b ）の電位をＶｇ２と表示している。また、基板３のグランド電位をＶｇ０と表示している。
【００１２】
同図では、Ｖｇ１＜Ｖｇ２の場合を示している。この場合、シグナルグランド間にはＶｇ２−Ｖｇ１の電位差が生じ、これがＲＦケーブル３１から入力されたＴＶ映像信号にノイズを混入させる一因となる。
【００１３】
図１２は従来の受信装置１０１の他の一例の要部回路図である。なお、図１０と同様の構成部分には同一番号を付し、その説明を省略する。図１２を参照すると、ＲＦ入力端子２のシグナルグランド（負極端子２２b ）とＴＶチューナユニット１のシグナルグランド（負極端子１２b ）はともに基板３と接続されている。
【００１４】
図１３は受信装置１０１の各シグナルグランドの電位の一例を示す図である。同図を参照すると、ＴＶチューナユニット１の入力端子１２のシグナルグランド（負極端子１２b ）の電位をＶｇ１a 、ＲＦ入力端子２のシグナルグランド（負極端子２２b ）の電位をＶｇ２a と表示している。また、基板３のグランド電位をＶｇ０と表示している。
【００１５】
この場合、シグナルグランド間にはＶｇ２a −Ｖｇ１a の電位差が生じるが、両シグナルグランドが基板３と接続されているため（図１２参照）、この電位差Ｖｇ２a −Ｖｇ１a は両シグナルグランドが基板３と接続されていない場合の電位差Ｖｇ２−Ｖｇ１（図１１参照）に比べ小さくなり、よってＲＦケーブル３１から入力されたＴＶ映像信号に混入するノイズを低減させることが可能となる。
【００１６】
一方、２個の回路基板がそれぞれ異なる筐体内板金に設けられ、その筐体内板金同士を導電性金属板で接続する接続方法が開示されている（例えば、特許文献１参照）。
【００１７】
【特許文献１】特開平１０−２０８７９１号公報（段落００１３，００１５および図３）
【発明の開示】
【発明が解決しようとする課題】
【００１８】
基板上のグランド信号を低インピーダンスとなるように設計するのが一般的である。しかし、基板上の部品配置や配線レイアウトが均一でないことにより、現実には基板全体のグランドを低インピーダンスに保つことは困難であり、基板箇所によっては高インピーダンスや低インピーダンスとなる場合がある。
【００１９】
一般に、ＲＦ入力端子２とＴＶチューナユニット１においても、ＲＦ入力端子２のグランド信号は高インピーダンス、ＴＶチューナユニット１のグランド信号は低インピーダンスとなることが多い。したがって、ＲＦ入力端子２のフレームグランド(frame ground)およびシグナルグランドが高インピーダンスとなり、ＴＶチューナユニット１のフレームグランドおよびシグナルグランドが低インピーダンスとなる。
【００２０】
高周波帯域では、高インピーダンスなほどグランドのノイズ成分が大きく、この場合、ＲＦ入力端子２のグランドのノイズ成分が大きい。よって、そのノイズ成分の影響を受けたＲＦ信号がＴＶチューナユニット１に入力され、ＴＶ映像のノイズとして現れる。
【００２１】
一方、特許文献１に開示の接続方法は、上述のＲＦ入力端子２のシグナルグランド（負極端子２２b ）とＴＶチューナユニット１のシグナルグランド（負極端子１２b ）とを基板３と接続する（図１２参照）技術と等価であり、本発明の効果を奏することはできない。
【００２２】
そこで本発明の目的は、ＲＦ入力端子のグランド信号とＴＶチューナのグランド信号のインピーダンスの差を少なくし、これによりＴＶ映像信号に混入するノイズを低減させることが可能な受信装置およびその受信ノイズ低減方法を提供することにある。
【課題を解決するための手段】
【００２３】
前記課題を解決するために本発明による受信装置は、第１の導電体フレーム内に設けられる高周波信号入力端子と、第２の導電体フレーム内に設けられる同調部と、前記高周波信号入力端子と前記同調部とが載置される基板とを含む受信装置であって、前記高周波信号入力端子のシグナルグランドと前記同調部の入力端子のシグナルグランドとを前記基板と電気的に接続する第１の接続手段と、前記高周波信号入力端子の導電体フレームと前記同調部の導電体フレームとを電気的に接続する第２の接続手段とを含むことを特徴とする。
【００２４】
また、本発明による受信ノイズ低減方法は、第１の導電体フレーム内に設けられる高周波信号入力端子と、第２の導電体フレーム内に設けられる同調部と、前記高周波信号入力端子と前記同調部とが載置される基板とを含む受信装置の受信ノイズ低減方法であって、前記第１の導電体フレームと前記第２の導電体フレームとを導電性の板体に密着させる第１ステップと、前記導電性の板体の各端部を前記第１および第２の導電体フレームとはんだで固定する第２ステップとを含むことを特徴とする。
【００２５】
ここで、本発明の作用を述べる。本発明ではＲＦ入力端子２のフレームグランドに相当するフレーム２１と、ＴＶチューナユニット１のフレームグランドに相当するフレーム１１とを金属プレート４等の導電体に接続する。これにより、ＲＦ入力端子２とＴＶチューナユニット１のフレームグランドおよびシグナルグランドが共通化されるため、従来よりもＲＦ入力端子２とＴＶチューナユニット１間のグランド信号のインピーダンス差を少なくすることが可能となる。
【発明の効果】
【００２６】
本発明によれば、上記構成を含むため、ＲＦ入力端子とＴＶチューナ間のグランド信号のインピーダンス差を少なくし、よってＴＶ映像信号に混入するノイズを低減させることが可能となる。
【発明を実施するための最良の形態】
【００２７】
以下、本発明の実施例について添付図面を参照しながら説明する。
【実施例１】
【００２８】
図１は本発明に係る受信装置の第１実施例の外観斜視図である。本発明では受信装置の一例としてＲＦ入力端子が別部品となっているＴＶチューナユニットの一例について説明する。
【００２９】
同図を参照すると、本発明に係る受信装置１０はＴＶチューナユニット１と、ＲＦ入力端子２と、基板３と、金属プレート４とを含んで構成される。
【００３０】
基板３上にＴＶチューナユニット１とＲＦ入力端子２とが近接して載置され、ＴＶチューナユニット１およびＲＦ入力端子２のグランド信号は基板３の配線で共通化されている。また、ＲＦ入力端子２とＴＶチューナユニット１の入力端子１１は基板３内の配線で接続されている。
【００３１】
また、ＴＶチューナユニット１とＲＦ入力端子２との表面（図示しないフレーム上）に金属プレート４が密着されている。
【００３２】
図２は本発明に係る受信装置の第１実施例の他の外観斜視図である。なお、図１と同様の構成部分には同一番号を付し、その説明を省略する。
【００３３】
同図を参照すると、ＲＦケーブル３１とＲＦ入力端子２とを接続することにより、ＲＦ入力端子２を介してＴＶチューナユニット１にＲＦ信号が入力される。
【００３４】
図３は本発明に係る受信装置の第１実施例の側面図、図４は同受信装置の第１実施例の平面図、図５は受信ノイズ低減方法の手順の一例を示すフローチャートである。なお、図３および図４において図１と同様の構成部分には同一番号を付し、その説明を省略する。
【００３５】
図３および図４を参照すると、金属プレート４は導電性の板体であり、断面がＬ字状に折り曲げられている。そして、金属プレート４の一片４ａがＲＦ入力端子２の図示しないフレームに密着され、かつ金属プレート４の他片４ｂがＴＶチューナユニット１の図示しないフレームに密着される（図５のステップＳ１）。
【００３６】
次に、金属プレート４の一片４ａの各端部がＲＦ入力端子２の図示しないフレームとはんだ５で固定され、かつ金属プレート４の他片４ｂの各端部がＴＶチューナユニット１の図示しないフレームとはんだ５で固定される（図５のステップＳ２）。
【００３７】
次に、本発明に係る受信装置の第１実施例の要部回路について説明する。図６は本発明に係る受信装置の第１実施例の要部回路図である。なお、同図において図１および図２と同様の構成部分には同一番号を付し、その説明を省略する。
【００３８】
同図を参照すると、本発明に係る受信装置１０のＴＶチューナユニット１は、金属等の導電体で形成されたフレーム１１と、フレーム１１内部に設けられた入力端子１２とを含んでいる。
【００３９】
また、入力端子１２は正極端子（＋）１２a と負極端子（−）１２b とから構成され、負極端子（−）１２b は接地されている。また、入力端子１２は図示しない内部の受信回路と接続されている。
【００４０】
一方、受信装置１０のＲＦ入力端子２は、金属等の導電体で形成されたフレーム２１と、フレーム２１内部に設けられた入力端子２２とを含んでいる。
【００４１】
また、入力端子２２は正極端子（＋）２２a と負極端子（−）２２b とから構成され、負極端子（−）２２b は接地されている。
【００４２】
入力端子１２と入力端子２２とは信号線１３および１４で接続されている。入力端子２２にはＲＦケーブル３１が接続され、ＲＦケーブル３１、入力端子２２、信号線１３、１４および入力端子１２を介してＴＶ映像信号がＴＶチューナユニット１へ入力される。
【００４３】
ＲＦ入力端子２の入力端子２２のシグナルグランド（負極端子２２b ）とＴＶチューナユニット１の入力端子１２のシグナルグランド（負極端子１２b ）はともに基板３と接続されている。
【００４４】
さらに、本発明ではＴＶチューナユニット１のフレーム１１と、ＲＦ入力端子２のフレーム２１とが導電体プレート、一例として金属プレート４に接続されている。
【００４５】
図７は受信装置１０の各シグナルグランドの電位の一例を示す図である。同図を参照すると、ＴＶチューナユニット１の入力端子１２のシグナルグランド（負極端子１２b ）の電位をＶｇ１b 、ＲＦ入力端子２のシグナルグランド（負極端子２２b ）の電位をＶｇ２b と表示している。また、基板３のグランド電位をＶｇ０と表示している。
【００４６】
この場合、シグナルグランド間にはＶｇ２b −Ｖｇ１b の電位差が生じるが、ＴＶチューナユニット１のフレーム１１と、ＲＦ入力端子２のフレーム２１とが金属プレート４と接続されているため（図６参照）、この電位差Ｖｇ２b −Ｖｇ１b は両フレーム１１、２１が金属プレート４と接続されていない場合の電位差Ｖｇ２ａ−Ｖｇ１ａ（図１３参照）に比べ小さくなり、よってＲＦケーブル３１から入力されたＴＶ映像信号に混入するノイズを従来よりも低減させることが可能となる。
【００４７】
すなわち、本発明の第１実施例によれば、ＲＦ入力端子２のフレーム２１と、ＴＶチューナユニット１のフレーム１１とを金属プレート４で密着することにより、高インピーダンスなＲＦ入力端子２のフレームグランドおよびシグナルグランドと、低インピーダンスなＴＶチューナユニット１のフレームグランドおよびシグナルグランドとのインピーダンス差分を従来よりも少なくすることが可能となる。よって、グランドのノイズ成分が従来よりも少なくなり、ＴＶ映像信号のノイズが低減される。
【実施例２】
【００４８】
図８は本発明に係る受信装置の第２実施例の外観斜視図である。なお、図４と同様の構成部分については同一番号を付し、その説明を省略する。
【００４９】
第２実施例が第１実施例（図４参照）と異なる点は、ＴＶチューナユニットを２ユニット構成（ＴＶチューナユニット１および６）とし、ＴＶチューナユニット１のフレームとＴＶチューナユニット６のフレーム間に新たに金属プレート７を密着させた点であり、それ以外は第１実施例と同様である。
【００５０】
このように、ＴＶチューナユニット１のフレームとＴＶチューナユニット６のフレーム間に金属プレート７を密着させることにより、ＲＦ入力端子２、ＴＶチューナユニット１および６の各フレームグランドとシグナルグランドのインピーダンス差分を従来よりも少なくすることが可能となる。そのため、グランドのノイズ成分が従来よりも少なくなり、ＴＶ映像信号のノイズが低減される。
【００５１】
なお、本実施例ではＴＶチューナユニットを２ユニット構成にした場合について述べたが、２ユニット構成に限定するものではなく、３ユニット以上の構成に本発明の適用が可能である。
【００５２】
本発明の第２実施例によれば、ＴＶチューナユニットが複数個数設けられる受信装置においても、高インピーダンスなＲＦ入力端子２のフレームグランドおよびシグナルグランドと、低インピーダンスなＴＶチューナユニット１のフレームグランドおよびシグナルグランドとのインピーダンス差分を従来よりも少なくすることが可能となる。よって、グランドのノイズ成分が従来よりも少なくなり、ＴＶ映像信号のノイズが低減される。
【図面の簡単な説明】
【００５３】
【図１】本発明に係る受信装置の第１実施例の外観斜視図である。
【図２】本発明に係る受信装置の第１実施例の他の外観斜視図である。
【図３】本発明に係る受信装置の第１実施例の側面図である。
【図４】同受信装置の第１実施例の平面図である。
【図５】受信ノイズ低減方法の手順の一例を示すフローチャートである。
【図６】本発明に係る受信装置の第１実施例の要部回路図である。
【図７】受信装置１０の各シグナルグランドの電位の一例を示す図である。
【図８】本発明に係る受信装置の第２実施例の外観斜視図である。
【図９】従来の受信装置の一例の外観斜視図である。
【図１０】従来の受信装置の一例の要部回路図である。
【図１１】受信装置１００の各シグナルグランドの電位の一例を示す図である。
【図１２】従来の受信装置１０１の他の一例の要部回路図である。
【図１３】受信装置１０１の各シグナルグランドの電位の一例を示す図である。
【符号の説明】
【００５４】
１、６  ＴＶチューナユニット
２  ＲＦ入力端子
３  基板
４、７  金属プレート
１０  受信装置
１１、２１  フレーム
１２、２２  入力端子
３１  ＲＦケーブル
【図１】
2008136008.tif 000003
【図２】
2008136008.tif 000004
【図３】
2008136008.tif 000005
【図４】
2008136008.tif 000006
【図５】
2008136008.tif 000007
【図６】
2008136008.tif 000008
【図７】
2008136008.tif 000009
【図８】
2008136008.tif 000010
【図９】
2008136008.tif 000011
【図１０】
2008136008.tif 000012
【図１１】
2008136008.tif 000013
【図１２】
2008136008.tif 000014
【図１３】
2008136008.tif 000015